Podtech/llm-jp-corpus-v4-ja_patent huggingface dataset:
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
細胞増殖の調節異常に関連する疾患又は障害を治療するための医薬であって、有効量の
（ｉ）解糖阻害剤；及び
（ｉｉ）式（ＩＩ）の化合物又はその薬学的に許容される塩：
を含む、医薬。
【化１】
2018503697.tif 000001
（式中、
Ｒ１は、ヒドロキシ、アルコキシ、ハロアルキル、又はハロであり；
Ｒ２は、ヒドロキシ又はアルコキシであり；
Ｒ３、Ｒ４、Ｒ５、及びＲ６は、独立して、水素、ヒドロキシ、アルコキシ、ハロ、ハロアルキル、又はアルキルであり；
Ｒ７は、アルキル又は水素であり；
Ｒ９は、ヒドロキシ又はアルコキシである。）
【請求項２】
Ｒ１は、ヒドロキシ又はアルコキシである、請求項１に記載の医薬。
【請求項３】
Ｒ２はヒドロキシである、請求項１又は２に記載の医薬。
【請求項４】
Ｒ３、Ｒ４、Ｒ５、及びＲ６は、独立して、水素又はアルキルである、請求項１〜３のいずれか１項に記載の医薬。
【請求項５】
Ｒ３、Ｒ４、Ｒ５、及びＲ６は、独立して、水素である、請求項１〜４のいずれか１項に記載の医薬。
【請求項６】
Ｒ７は、メチル又は水素である、請求項１〜５のいずれか１項に記載の医薬。
【請求項７】
Ｒ１は、ヒドロキシ又はアルコキシであり；
Ｒ２は、ヒドロキシ又はアルコキシであり；
Ｒ３、Ｒ４、Ｒ５、及びＲ６は、独立して、水素、ヒドロキシ、アルコキシ、又はアルキルであり；
Ｒ７は、アルキル又は水素であり；
Ｒ９は、ヒドロキシ又はアルコキシである、請求項１に記載の医薬。
【請求項８】
Ｒ１は、ヒドロキシ又はアルコキシであり；
Ｒ２は、ヒドロキシ又はアルコキシであり；
Ｒ３、Ｒ４、Ｒ５、及びＲ６は、独立して、水素であり；
Ｒ７は、アルキル又は水素であり；
Ｒ９は、ヒドロキシである、請求項１に記載の医薬。
【請求項９】
Ｒ１は、ヒドロキシ又はメトキシであり；
Ｒ２は、ヒドロキシ又はメトキシであり；
Ｒ３、Ｒ４、Ｒ５、及びＲ６は、独立して、水素、ヒドロキシ、メトキシ、又はメチルであり；
Ｒ７は、メチル又は水素であり；
Ｒ９は、ヒドロキシ又はメトキシである、請求項１に記載の医薬。
【請求項１０】
Ｒ１は、ヒドロキシ又はメトキシであり；
Ｒ２は、ヒドロキシ又はメトキシであり；
Ｒ３、Ｒ４、Ｒ５、及びＲ６は、独立して、水素であり；
Ｒ７は、メチル又は水素であり；
Ｒ９は、ヒドロキシである、請求項１に記載の医薬。
【請求項１１】
前記解糖阻害剤は血管新生阻害剤である、請求項１〜１０のいずれか１項に記載の医薬。
【請求項１２】
前記血管新生阻害剤は、ニンテダニブ、ベバシズマブ、エベロリムス、テムシロリムス、レナリドマイド、パゾパニブ、ラムシルマブ、ソラフェニブ、スニチニブ、サリドマイド、バンデタニブ、セジラニブ、アキシチニブ、モテサニブ、バタラニブ、ドビチニブ、ブリバニブ、リニファニブ、チボザニブ、レンバチニブ、レゴラフェニブ、フォレチニブ、テラチニブ、カボザンチニブ、ニロチニブ、タンヅチニブ、イマチニブ、キザルチニブ、オランチニブ、オララツマブ、エルロチニブ、ゲフィチニブ、アファチニブ、ラパチニブ、バルリチニブ、ＡＥＥ−７８８、トラスツズマブ、セツキシマブ、パニツムマブ、ニモツズマブ、ペルツズマブ、エルツマキソマブ、又はザルツムマブである、請求項１１に記載の医薬。
【請求項１３】
前記血管新生阻害剤は、ニンテダニブ、ベバシズマブ、ソラフェニブ、スニチニブ、サリドマイド、ドビチニブ、レゴラフェニブ、又はイマチニブである、請求項１２に記載の医薬。
【請求項１４】
前記血管新生阻害剤は、ベバシズマブである、請求項１２に記載の医薬。
【請求項１５】
前記疾患又は障害は癌である、請求項１〜１４のいずれか１項に記載の医薬。
【請求項１６】
前記疾患又は障害は、乳癌、大腸癌、前立腺癌、膵臓癌、白血病、リンパ腫、卵巣癌、神経芽細胞腫、膠芽腫、腎臓癌、膀胱癌、消化管間質腫瘍、肝臓癌、頭頸部癌、肺癌、黒色腫、又は血液悪性腫瘍である、請求項１〜１４のいずれか１項に記載の医薬。
【請求項１７】
前記疾患又は障害は乳癌である、請求項１〜１４のいずれか１項に記載の医薬。
【請求項１８】
前記癌は、化学療法及び／又はハプロ幹細胞移植に対して不応性、非応答性又は抵抗性を示す、請求項１５〜１７のいずれか１項に記載の医薬。
【請求項１９】
前記癌は、前記解糖阻害剤に対して非応答性又は抵抗性を示す、請求項１８に記載の医薬。
【請求項２０】
前記解糖阻害剤および式（ＩＩ）の化合物は、同時に又は連続して投与される、請求項１〜１９のいずれか１項に記載の医薬。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
下記式（Ｉ）で示される化合物、その薬学的に許容される塩またはその溶媒和物を含有する、尿酸上昇による疾病の予防剤又は治療剤。
【化１】
2018503691.tif 000001
（ここで、Ｒ１は水素、及びＣ１−４アルキル基からなる群より選ばれ、前記Ｃ１−４アルキル基は、未置換でありまたはハロゲン原子、シアノ基及びＣＦ３からなる群から任意に選択される一つ又は複数により置換されてもよく；
Ｒ２はＣ１−１０アルキル基、Ｃ２−６アルケニル基及びＣ２−６アルキニル基からなる群より選択され、前記Ｃ１−１０アルキル基、前記Ｃ２−６アルケニル基及び前記Ｃ２−６アルキニル基は、未置換であり又はハロゲン原子もしくはシアノ基により置換されてもよく；
Ｒ３はハロゲン原子及びシアノ基からなる群から選択される。）
【請求項２】
Ｒ１は水素またはメチル基を表し、
Ｒ２はエチル基、プロピル基、２−メチルプロピル基、ブチル基、３−メチルブチル基またはペンチル基を表し、
Ｒ３はフッ素原子または塩素原子を表す、請求項１に記載の尿酸上昇による疾病の予防剤又は治療剤。
【請求項３】
前記化合物が、
８−クロロ−３−ペンチル−３，７−ジヒドロ−１Ｈ−プリン−２，６−ジオン、
８−クロロ−３−ブチル−３，７−ジヒドロ−１Ｈ−プリン−２，６−ジオン、
８−クロロ−１−メチル−３−ブチル−３，７−ジヒドロ−１Ｈ−プリン−２，６−ジオン、
８−クロロ−１−メチル−３−ペンチル−３，７−ジヒドロ−１Ｈ−プリン−２，６−ジオン、
８−クロロ−３−（３−メチルブチル）−３，７−ジヒドロ−１Ｈ−プリン−２，６−ジオン、
８−クロロ−３−（２−メチルプロピル）−３，７−ジヒドロ−１Ｈ−プリン−２，６−ジオン、及び
８−クロロ−１−メチル−３−（３−メチルブチル）−３，７−ジヒドロ−１Ｈ−プリン−２，６−ジオンからなる群から選択される、請求項１に記載の尿酸上昇による疾病の予防剤又は治療剤。
【請求項４】
前記化合物が８−クロロ−３−ペンチル−３，７−ジヒドロ−１Ｈ−プリン−２，６−ジオン又はその水和物である請求項１に記載の尿酸上昇による疾病の予防剤又は治療剤。
【請求項５】
前記尿酸上昇による疾病は、尿酸性及び／または痛風性疾患である請求項１に記載の尿酸上昇による疾病の予防剤又は治療剤。
【請求項６】
前記尿酸性及び／または痛風性疾患は、高尿酸血症、痛風、痛風性炎症、疼痛または尿酸性腎症である請求項５に記載の尿酸上昇による疾病の予防剤又は治療剤。
【請求項７】
前記高尿酸血症は、原発性高尿酸血症及び続発性高尿酸血症を含む請求項６に記載の尿酸上昇による疾病の予防剤又は治療剤。
【請求項８】
前記痛風は、原発性痛風及び続発性痛風を含む請求項６に記載の尿酸上昇による疾病の予防剤又は治療剤。
【請求項９】
前記痛風性炎症は急性痛風性関節炎、皮下痛風結節及び慢性痛風結節性関節炎を含む請求項６に記載の尿酸上昇による疾病の予防剤又は治療剤。
【請求項１０】
前記尿酸性腎症は急性尿酸性腎症、慢性尿酸塩腎症及び尿酸性尿路結石を含む請求項６に記載の尿酸上昇による疾病の予防剤又は治療剤。
【請求項１１】
下記式（Ｉ）で示される化合物、その薬学的に許容される塩またはその溶媒和物を含有する尿酸降下用医薬組成物。
【化２】
2018503691.tif 000002
（ここで、Ｒ１は水素及びＣ１−４アルキル基からなる群より選択され、前記Ｃ１−４アルキル基は、未置換であり又はハロゲン原子、シアノ基及びＣＦ３からなる群から任意に選択される一つまたは複数により置換されてもよく；
Ｒ２はＣ１−１０アルキル基、Ｃ２−６アルケニル基及びＣ２−６アルキニル基からなる群より選択され、前記Ｃ１−１０アルキル基、前記Ｃ２−６アルケニル基及び前記Ｃ２−６アルキニル基は、未置換であり又はハロゲン原子もしくはシアノ基により置換されてもよく；
Ｒ３はハロゲン原子及びシアノ基からなる群より選択される。）
【請求項１２】
Ｒ１は水素またはメチル基を表し，
Ｒ２はエチル基、プロピル基、２−メチルプロピル基、ブチル基、３−メチルブチル基またはペンチル基を表し，
Ｒ３はフッ素原子または塩素原子を表す請求項１１に記載の尿酸降下用医薬組成物。
【請求項１３】
前記化合物が、
８−クロロ−３−ペンチル−３，７−ジヒドロ−１Ｈ−プリン−２，６−ジオン、
８−クロロ−３−ブチル−３，７−ジヒドロ−１Ｈ−プリン−２，６−ジオン、
８−クロロ−１−メチル−３−ブチル−３，７−ジヒドロ−１Ｈ−プリン−２，６−ジオン、
８−クロロ−１−メチル−３−ペンチル−３，７−ジヒドロ−１Ｈ−プリン−２，６−ジオン、
８−クロロ−３−（３−メチルブチル）−３，７−ジヒドロ−１Ｈ−プリン−２，６−ジオン、
８−クロロ−３−（２−メチルプロピル）−３，７−ジヒドロ−１Ｈ−プリン−２，６−ジオン、及び
８−クロロ−１−メチル−３−（３−メチルブチル）−３，７−ジヒドロ−１Ｈ−プリン−２，６−ジオンからなる群より選択される請求項１１に記載の尿酸降下用医薬組成物。
【請求項１４】
前記化合物が８−クロロ−３−ペンチル−３，７−ジヒドロ−１Ｈ−プリン−２，６−ジオン又はその水和物である請求項１１に記載の尿酸降下用医薬組成物。
【手続補正２】
【補正対象書類名】明細書
【補正対象項目名】００３３
【補正方法】変更
【補正の内容】
【００３３】
本発明は、尿酸降下作用及び抗炎症作用を有する化合物、その薬学的に許容される塩またはその溶媒和物を含有し、高尿酸血症、痛風、痛風性炎症、疼痛、及び尿酸性腎症を治療または予防する効果を有する新規の医薬組成物を提供することを目的とする。
【手続補正３】
【補正対象書類名】明細書
【補正対象項目名】００３４
【補正方法】変更
【補正の内容】
【００３４】
上記目的を実現するために、本発明者らは鋭意検討し、予見できぬ成果として、キサンチン誘導体化合物が尿酸降下作用及び抗炎症作用を有し、高尿酸血症、痛風、痛風性炎症、疼痛、及び尿酸性腎症を効果的に予防または治療する効果を有することを発見し、本発明の創出に至った。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
治療有効量の少なくとも一つの抗NET化合物を含む、対象における臓器線維化を処置または予防するための薬学的組成物。
【請求項２】
少なくとも一つの抗NET化合物が、DNase；ヒストン分解酵素；クロマチン脱凝縮の阻害物質；NETのある成分に対する抗体；プロテアーゼ阻害物質、エラスターゼ阻害物質；およびPAD4阻害物質からなる群より選択される、請求項1記載の薬学的組成物。
【請求項３】
PAD4阻害物質が、Cl-アミジンおよびF-アミジンからなる群より選択される、請求項1〜2のいずれか一項記載の薬学的組成物。
【請求項４】
予防的に投与される、請求項1〜3のいずれか一項記載の薬学的組成物。
【請求項５】
対象の年齢が、40歳超、30歳超、50歳超、60歳超、および70歳超からなる群より選択される、請求項1〜4のいずれか一項記載の薬学的組成物。
【請求項６】
対象が、心臓疾患、肺疾患、腎疾患、肝疾患、および糖尿病からなる群より選択される疾患と診断される、請求項1〜5のいずれか一項記載の薬学的組成物。
【請求項７】
繰り返し与えられる、請求項1〜6のいずれか一項記載の薬学的組成物。
【請求項８】
対象が、老化に伴う臓器線維化を有すると診断される、請求項1〜7のいずれか一項記載の薬学的組成物。
【請求項９】
対象が、心臓線維化、肺線維化、肝臓線維化、腎臓線維化、皮膚線維化、軟組織線維化、および腸線維化からなる群より選択される臓器線維化を有すると診断される、請求項1〜8のいずれか一項記載の薬学的組成物。
【請求項１０】
線維化を有する臓器中の一つまたは複数の標的部位へ局所投与される、請求項1〜9のいずれか一項記載の薬学的組成物。
【請求項１１】
対象が嚢胞性繊維症を有しない、請求項1〜10のいずれか一項記載の薬学的組成物。
【請求項１２】
治療有効量の少なくとも一つの抗NET化合物を含む、対象における創傷治癒を促進するための薬学的組成物。
【請求項１３】
抗NET化合物が、DNase；ヒストン分解酵素；クロマチン脱凝縮の阻害物質；NETのある成分に対する抗体；プロテアーゼ阻害物質、エラスターゼ阻害物質；およびPAD4阻害物質からなる群より選択される、請求項12記載の薬学的組成物。
【請求項１４】
DNAseと、ヒストン分解酵素；クロマチン脱凝縮の阻害物質；NET放出阻害物質；NETのある成分に対する抗体；プロテアーゼ阻害物質、エラスターゼ阻害物質；およびPAD4阻害物質からなる群より選択される追加の抗NET化合物とを含む、請求項12〜13のいずれか一項記載の薬学的組成物。
【請求項１５】
抗NET化合物がDNaseではない、請求項12〜13のいずれか一項記載の薬学的組成物。
【請求項１６】
PAD4阻害物質が、Cl-アミジンおよびF-アミジンからなる群より選択される、請求項12〜15のいずれか一項記載の薬学的組成物。
【請求項１７】
予防的に投与される、請求項12〜16のいずれか一項記載の薬学的組成物。
【請求項１８】
繰り返し与えられる、請求項12〜17のいずれか一項記載の薬学的組成物。
【請求項１９】
対象が糖尿病を有すると診断される、請求項12〜18のいずれか一項記載の薬学的組成物。
【請求項２０】
治療有効量の少なくとも一つの抗NET化合物を含む、糖尿病を有する対象におけるNET関連炎症および合併症を処置するための薬学的組成物。
【請求項２１】
抗NET化合物が、DNase；ヒストン分解酵素；クロマチン脱凝縮の阻害物質；NET放出阻害物質；NETのある成分に対する抗体；プロテアーゼ阻害物質、エラスターゼ阻害物質；およびPAD4阻害からなる群より選択される、請求項20記載の薬学的組成物。
【請求項２２】
抗NET化合物がDNaseではない、請求項20〜21のいずれか一項記載の薬学的組成物。
【請求項２３】
抗NET化合物がエラスターゼ阻害物質ではない、請求項20〜22のいずれか一項記載の薬学的組成物。
【請求項２４】
PAD4阻害物質が、Cl-アミジンおよびF-アミジンからなる群より選択される、請求項20〜23のいずれか一項記載の薬学的組成物。
【請求項２５】
予防的に投与される、請求項20〜24のいずれか一項記載の薬学的組成物。
【請求項２６】
繰り返し与えられる、請求項20〜25のいずれか一項記載の薬学的組成物。
【請求項２７】
対象が1型糖尿病を有すると診断される、請求項20〜26のいずれか一項記載の薬学的組成物。
【請求項２８】
対象がII型糖尿病を有すると診断される、請求項20〜27のいずれか一項記載の薬学的組成物。
【請求項２９】
炎症が、処置前の炎症と比較して、少なくとも10%、少なくとも20%、少なくとも30%、または少なくとも50%低下する、請求項20〜28のいずれか一項記載の薬学的組成物。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
式（Ｉ）の化合物を製造する方法であって、
【化１】
2018503659.tif 000001
（ｉ）式（ＶＩＩ）
【化２】
2018503659.tif 000002
（式中、ＬＧは脱離基である）
の化合物と塩基とを、アルカリ金属塩またはアルカリ土類金属塩の存在下で反応させるステップを含む、方法。
【請求項２】
前記式（Ｉ）の化合物のエナンチオマーを分離するステップ（ｉｉ）をさらに含み、前記エナンチオマーが、式（Ｉａ）および式（Ｉｂ）
【化３】
2018503659.tif 000003
により表される、請求項１に記載の方法。
【請求項３】
前記式（Ｉ）の化合物、前記式（Ｉａ）の化合物または前記式（Ｉｂ）の化合物をそれらの薬学的に許容される塩、特に一リン酸塩に変換する１つのステップをさらに含む、請求項１または２に記載の方法。
【請求項４】
前記塩基が、
アルカリ金属アミドまたはアルカリ土類金属アミド、
アルカリ金属アルコキシドまたはアルカリ土類金属アルコキシド、
アルカリ金属水素化物またはアルカリ土類金属水素化物、
有機リチウム試薬、および
有機マグネシウム試薬
からなる群から選択される、請求項１から３のいずれか一項に記載の方法。
【請求項５】
前記アルカリ金属アミドまたはアルカリ土類金属アミドが、リチウムビス（トリメチルシリル）アミドである、請求項４に記載の方法。
【請求項６】
前記脱離基が、ハロゲニド、エステル化により活性化されるヒドロキシル基またはシアニドである、請求項１から５のいずれか一項に記載の方法。
【請求項７】
前記脱離基が、クロリドである、請求項６に記載の方法。
【請求項８】
前記アルカリ金属塩またはアルカリ土類金属塩が、リチウム塩、ナトリウム塩、カリウム塩、マグネシウム塩またはカルシウム塩である、請求項１から７のいずれか一項に記載の方法。
【請求項９】
前記塩基が、アニオン性塩基であり、その対イオンが、前記方法の前記アルカリ金属塩またはアルカリ土類金属塩中に存在するカチオンと同一である、請求項１から８のいずれか一項に記載の方法。
【請求項１０】
前記塩基が、アニオン性塩基であり、その対イオンが、前記方法の前記アルカリ金属塩またはアルカリ土類金属塩中に存在するカチオンと異なる、請求項１から８のいずれか一項に記載の方法。
【請求項１１】
前記方法が非プロトン性不活性溶媒中、特にテトラヒドロフラン中で行われる、請求項１から１０のいずれか一項に記載の方法。
【請求項１２】
前記方法が−１００℃〜０℃の温度で行われる、請求項１から１１のいずれか一項に記載の方法。
【請求項１３】
前記方法が−５０℃〜−２５℃の温度で行われる、請求項１２に記載の方法。
【請求項１４】
前記式（ＶＩＩ）の化合物に対して０．５〜５当量の塩基が使用される、請求項１から１３のいずれか一項に記載の方法。
【請求項１５】
前記塩基が、
アルカリ金属アルコキシドまたはアルカリ土類金属アルコキシド、
アルカリ金属アミドまたはアルカリ土類金属アミド、
アルカリ金属水素化物またはアルカリ土類金属水素化物、
有機リチウム試薬、および
有機マグネシウム試薬
からなる群から選択され、前記アルカリ金属塩またはアルカリ土類金属塩が、リチウム塩、ナトリウム塩、カリウム塩、マグネシウム塩またはカルシウム塩であり、
前記反応が、
式ＲＯＲ’のエーテル（式中、ＲおよびＲ’は、互いに独立に、アルキル、アリール、アリールアルキル、シクロアルキル、アルケニルもしくはアルコキシアルキルであるか、またはＲおよびＲ’は一緒になって、アルキレン、アルケニレンもしくはアルコキシアルキレンであり、それらが結合している酸素原子と一緒になって、５〜８員環を形成する）、
Ｎ，Ｎ−ジアルキルアミド、および
ジアルキルスルホキシド
からなる群から選択される、極性非プロトン性溶媒中で行われ、
前記脱離基が、ハロゲニド、エステル化により活性化されるヒドロキシル基またはシアニドである、
請求項１から３のいずれか一項に記載の方法。
【請求項１６】
１．５％未満の量の３−（２−（１Ｈ−イミダゾール−５−イル）エチル）−２−（４−（６，７−ジヒドロ−５Ｈ−ピロロ［１，２−ｃ］イミダゾール−５−イル）−３−フルオロフェニル）−１Ｈ−インドール−６−カルボニトリル（式（ＶＩＩＩ））を有する、式（Ｉａ）の化合物、またはその薬学的に許容される塩。
【請求項１７】
医薬として、特に、クッシング症候群、クッシング病および高コルチゾール血症から選択される、対象における増加したストレスホルモンレベルを特徴とする疾患または障害の治療において使用するための、請求項１６に記載の化合物。
【請求項１８】
請求項１６に記載の化合物を含む、特に医薬として使用するための、より具体的にはクッシング症候群、クッシング病および高コルチゾール血症から選択される、対象における増加したストレスホルモンレベルを特徴とする疾患または障害の治療において使用するための、医薬組成物。
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
２型真性糖尿病に罹患している小児患者の治療における使用のための、リキシセナチドまたは／およびその薬学的に許容される塩を含む医薬組成物。
【請求項２】
リキシセナチドまたは／およびその薬学的に許容される塩は、メトホルミンまたは／およびその薬学的に許容される塩に対する追加療法として投与される、請求項１に記載の医薬組成物。
【請求項３】
メトホルミンまたは／およびその薬学的に許容される塩は、経口投与用に調製される、請求項２に記載の医薬組成物。
【請求項４】
小児治療を必要とする患者は、少なくとも１０歳の年齢である、請求項１〜３のいずれか１項に記載の医薬組成物。
【請求項５】
小児治療を必要とする患者は、１８歳未満の年齢である、請求項１〜４のいずれか１項に記載の医薬組成物。
【請求項６】
２型真性糖尿病が少なくとも３カ月診断されている、請求項１〜５のいずれか１項に記載の医薬組成物。
【請求項７】
２型真性糖尿病は、メトホルミン単独療法によって、基礎インスリン単独療法によって、またはメトホルミンおよび基礎インスリンの併用のいずれによっても適切にコントロールされていない、請求項１〜６のいずれか１項に記載の医薬組成物。
【請求項８】
小児治療を必要とする患者は、肥満である、請求項１〜７のいずれか１項に記載の医薬組成物。
【請求項９】
小児治療を必要とする患者は、少なくとも３０ｋｇ／ｍ２または少なくとも３１ｋｇ／ｍ２のボディマス指数を有する、請求項１〜８のいずれか１項に記載の医薬組成物。
【請求項１０】
リキシセナチドは、朝食の約３０分前に投与される、請求項１〜９のいずれか１項に記載の医薬組成物。
【請求項１１】
リキシセナチドまたは／およびその薬学的に許容される塩による治療の開始時に、患者は、少なくとも８ｍｍｏｌ／Ｌまたは少なくとも８．５ｍｍｏｌ／Ｌの空腹時血漿グルコース濃度を有する、請求項１〜１０のいずれか１項に記載の医薬組成物。
【請求項１２】
リキシセナチドまたは／およびその薬学的に許容される塩による治療の開始時に、患者は、少なくとも１１．１ｍｍｏｌ／Ｌまたは少なくとも１２ｍｍｏｌ／Ｌの食後２時間の血漿グルコース濃度を有する、請求項１〜１１のいずれか１項に記載の医薬組成物。
【請求項１３】
リキシセナチドまたは／およびその薬学的に許容される塩による治療の開始時に、患者は、少なくとも３ｍｍｏｌ／Ｌのグルコース変動を有し、グルコース変動は、食後２時間の血漿グルコース濃度と食事試験の３０分前の血漿グルコース濃度の差である、請求項１〜１２のいずれか１項に記載の医薬組成物。
【請求項１４】
リキシセナチドまたは／およびその薬学的に許容される塩による治療の開始時に、患者は、少なくとも約７％、少なくとも約７．５％、少なくとも約８％、少なくとも約８．５％、少なくとも約８．６５％、または少なくとも約９％のＨｂＡ１ｃ値を有する、請求項１〜１３のいずれか１項に記載の医薬組成物。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
Ｘ線粉末回折パターンが、ＣｕＫα線を用いて測定した以下の２θピーク３．６、７．１、８．９、１０．４、１０．７、１２．４、１２．７及び１４．３を含む、３−（３−メトキシ−４−（（４−メトキシベンジル）オキシ）ベンジル）−６−（１−メチル−１Ｈ−ピラゾール−４−イル）−３Ｈ−イミダゾ［４、５−ｂ］ピリジン−２−アミンの結晶形態。
【請求項２】
請求項１に記載の３−（３−メトキシ−４−（（４−メトキシベンジル）オキシ）ベンジル）−６−（１−メチル−１Ｈ−ピラゾール−４−イル）−３Ｈ−イミダゾ［４、５−ｂ］ピリジン−２−アミンの結晶形態、及び医薬的に許容される賦形剤を含む医薬製剤。
【請求項３】
【化１】
2018503611.tif 000001
を含む化合物。
【請求項４】
ａ、下記構造式の化合物
【化２】
2018503611.tif 000002
及び、
ｂ、  医薬的に許容される賦形剤を含む医薬製剤。
【請求項５】
医薬的に許容される賦形剤が、希釈剤を含む、請求項４に記載の医薬製剤。
【請求項６】
希釈剤が、マリトール、ヒマワリ油、アルギン酸アンモニウム、炭酸カルシウム、乳酸カルシウム、リン酸カルシウム二塩基無水物、二塩基性二水和物、三塩基性、ケイ酸カルシウム、硫酸カルシウム、セルロース（粉末状、ケイ素化微結晶）、酢酸セルロース、圧縮性糖、菓子砂糖、コーンスターチ及びアルファ化デンプン、デキストレート、デキストリン、デキストロース、エリスリトール、エチルセルロース、フルクトース、フマル酸、パルミトステアリン酸グリセリル、吸入ラクトース、イソマルト、カオリン、ラクチトール、ラクトース（無水物、一水和物及びコーンスターチ、一水和物及び微結晶セルロース、噴霧乾燥）、炭酸マグネシウム、酸化マグネシウム、マルトデキストリン、マルトース、マンニトール、中鎖トリグリセリド、微結晶セルロース、ポリデキストロース、ポリメタクリレート、シメチコン、アルギン酸ナトリウム、塩化ナトリウム、ソルビトール、デンプン（アルファ化、滅菌可能なトウモロコシ）スクロース、糖球、スルホブチルエーテルｂ−シクロデキストリン、タルク、トラガカント、トレハロース、及びキシリトールから選択される請求項５に記載の医薬製剤。
【請求項７】
医薬的に許容される賦形剤が、懸濁化剤を含む、請求項４に記載の医薬製剤。
【請求項８】
懸濁化剤が、アカシア、寒天、アルギン酸、ベントナイト、ステアリン酸カルシウム、カルボマー、カルボキシメチルセルロース（カルシウム及びナトリウム）、カラギーナン、セルロース（微結晶性、微結晶性及びカルボキシメチルセルロースナトリウム、粉末状）、コロイド状二酸化ケイ素、デストリン、ゼラチン、グアーガム、ヘクトライト、疎水性コロイド状シリカ、ヒドロキシエチルセルロース、ヒドロキシメチルセルロース、ヒドロキシプロピルセルロース、ヒプロメロース、カオリン、ケイ酸アルミニウムマグネシウム、マルチトール溶液、中鎖トリグリセリド、メチルセルロース、ホウ酸フェニル水銀、リン脂質、ポリカルボフィル、ポリエチレングリコール、ポリオキシエチレンソルビタン脂肪酸エステル、ポビドン（ポリビニルピロリドン）、アルギン酸プロピレングリコール
、サポナイト、ゴマ油、アルギン酸ナトリウム、ソルビタンエステル、スクロース、トラガカント、ビタミンＥポリエチレングリコールサクシネート、及びキサンタンガムから選択される請求項７記載の医薬製剤。
【請求項９】
医薬的に許容される賦形剤が、緩衝剤を含む、請求項４に記載の医薬製剤。
【請求項１０】
緩衝剤が、アジピン酸、アンモニア溶液、ホウ酸、炭酸カルシウム、水酸化カルシウム、乳酸カルシウム、リン酸カルシウム、三塩基性クエン酸一水和物、二塩基性リン酸ナトリウム、ジエタノールアミン、グリシン、マレイン酸、リンゴ酸、メチオニン、メチオニン、一塩基性リン酸ナトリウム、モノエタノールアミン、グルタミン酸ナトリウム、リン酸、クエン酸カリウム、酢酸ナトリウム、重炭酸ナトリウム、ホウ酸ナトリウム、炭酸ナトリウム、クエン酸ナトリウム二水和物、水酸化ナトリウム、乳酸ナトリウム、及びトリエタノールアミンから選択される請求項９に記載の医薬製剤。
【請求項１１】
変形性関節症の治療に使用する、請求項２に記載の医薬製剤。
【請求項１２】
疼痛の治療に使用する、請求項２に記載の医薬製剤。
【請求項１３】
変形性関節症に関連する疼痛の治療に使用する、請求項２に記載の医薬製剤。
【請求項１４】
３−（３−メトキシ−４−（（４−メトキシベンジル）オキシ）ベンジル）−６−（１−メチル−１Ｈ−ピラゾール−４−イル）−３Ｈ−イミダゾ［４、５−ｂ］ピリジン−２−アミンを充填したマイクロスフェアを含む徐放性医薬製剤。
【請求項１５】
マイクロスフェアが、ポリマーを含む、請求項１４に記載の徐放性医薬製剤。
【請求項１６】
ポリマーが、ポリ（Ｄ、Ｌ−ラクチド）を含む、請求項１５に記載の徐放性医薬製剤。
【請求項１７】
ポリマーが、ポリ（Ｄ、Ｌ−ラクチド−ＣＯ−グリコリド）を含む、請求項１５に記載の徐放性医薬製剤。
【請求項１８】
ポリマーが、ポリ（Ｄ、Ｌ−ラクチド）及びポリ（Ｄ、Ｌ−ラクチド−ＣＯ−グリコリド）を含む、請求項１５に記載の徐放性医薬製剤。
【請求項１９】
ポリ（Ｄ、Ｌ−ラクチド）が、固有粘度０．１６〜０．３５ｄＬ／ｇを有する、請求項１６に記載の徐放性医薬製剤。
【請求項２０】
ポリ（Ｄ、Ｌ−ラクチド−ＣＯ−グリコリド）が、固有粘度０．１４〜０．２４ｄＬ／ｇを有する、請求項１７に記載の徐放性医薬製剤。
【請求項２１】
ポリ（Ｄ、Ｌ−ラクチド）が、固有粘度０．１６〜０．３５ｄＬ／ｇを有し、ポリ（Ｄ、Ｌ−ラクチド−ＣＯ−グリコリド）が、固有粘度０．１４〜０．２４ｄＬ／ｇを有する、請求項１８に記載の徐放性医薬製剤。
【請求項２２】
マイクロスフェアが、ポリ（Ｄ、Ｌ−ラクチド）及びポリ（Ｄ、Ｌ−ラクチド−ＣＯ−グリコリド）を９：１の比で含む、請求項１８に記載の徐放性医薬製剤。
【請求項２３】
マイクロスフェアが、ポリ（Ｄ、Ｌ−ラクチド）及びポリ（Ｄ、Ｌ−ラクチド−ＣＯ−グリコリド）を９．５：０．５の比で含む、請求項１８に記載の徐放性医薬製剤。
【請求項２４】
マイクロスフィアに３−（３−メトキシ−４−（（４−メトキシベンジル）オキシ）ベンジル）−６−（１−メチル−１Ｈ−ピラゾール−４−イル）−３Ｈ−イミダゾ［４，５−ｂ］ピリジン−２−アミンを１％ｗ／ｗから９９％ｗ／ｗ充填した、請求項１４に記載の徐放性医薬製剤。
【請求項２５】
変形性関節症の治療に使用する、請求項１４に記載の徐放性医薬製剤。      
【請求項２６】
疼痛の治療に使用する、請求項１４に記載の徐放性医薬製剤。
【請求項２７】
変形性関節症に関連する疼痛の治療に使用する、請求項１４に記載の徐放性医薬製剤。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
ベドリズマブを含み、以下の工程：
ａ）炎症性腸疾患（ＩＢＤ）患者のアルブミン濃度を測定する工程、及び
ｂ）工程ａ）におけるアルブミンの測定値が＞３．２ｇ／ｄＬである患者を選択する工程
により選択された患者にベドリズマブを投与するためのものである、炎症性腸疾患（ＩＢＤ）の治療剤。
【請求項２】
前記以下の工程が、患者におけるベドリズマブの血清中濃度を測定する工程をさらに含み、前記患者には、少なくとも２週間前に、ベドリズマブの誘導期投与レジメンが行われたものである、請求項１に記載の治療剤。
【請求項３】
前記血清中濃度が、次のベドリズマブ用量の投与の直前に測定された血清中トラフ濃度である、請求項２に記載の治療剤。
【請求項４】
ベドリズマブの血清中濃度が少なくとも８μｇ／ｍｌである場合に、前記患者が選択される、請求項３に記載の治療剤。
【請求項５】
前記濃度の測定値が、クリアランス速度を計算するために使用される、請求項２に記載の治療剤。
【請求項６】
ベドリズマブのクリアランス速度が０．２５Ｌ／日未満である場合に、前記患者が選択される、請求項５に記載の治療剤。
【請求項７】
ベドリズマブを含み、以下の工程：
ａ）患者の血清中アルブミン濃度を測定する工程、
ｂ）炎症性腸疾患（ＩＢＤ）患者にベドリズマブの用量を２回投与する工程、ここで、前記患者に第１の用量を投与してから約２週間後に、第２の用量を投与する、及び
ｃ）血清中アルブミン濃度が＞３．２ｇ／ｄＬである患者を選択する工程
により選択された患者にベドリズマブを投与するためのものである、炎症性腸疾患（ＩＢＤ）の治療剤。
【請求項８】
前記患者におけるベドリズマブの血清中濃度が、１２〜２５μｇ／ｍｌ、１５〜１７μｇ／ｍｌ、１７〜２５μｇ／ｍｌ、１２〜４０μｇ／ｍｌ及び１７〜４０μｇ／ｍｌからなる群から選択される、請求項３に記載の治療剤。
【請求項９】
ベドリズマブの血清中濃度が、サンドイッチＥＬＩＳＡアッセイによって測定される、請求項２、３又は７に記載の治療剤。
【請求項１０】
前記患者の粘膜が治癒するものである、請求項１に記載の治療剤。
【請求項１１】
前記以下の工程が、
（ａ）ＳＥＳ−ＣＤを測定すること、ここで、ＳＥＳ−ＣＤスコア≦６の場合に、任意にＳＥＳ−ＣＤスコアが≦４の場合に、ベドリズマブを継続する、又は
（ｂ）ＭａＲＩＡを測定すること、ここで、ＭａＲＩＡスコア＜１２の場合に、任意にＭａＲＩＡスコアが＜７の場合に、ベドリズマブを継続する、又は
（ｃ）便中カルプロテクチン濃度を測定すること、ここで、便中カルプロテクチン濃度が、治療前の濃度の＜５０％に低下している場合に、ベドリズマブを継続する、
を更に含む、請求項１又は７に記載の治療剤。
【請求項１２】
ベドリズマブを含み、以下の工程：
ａ）過去２カ月以内にベドリズマブを少なくとも１用量投与した患者から血清サンプルを得る工程、
ｂ）前記サンプル中のアルブミン濃度を測定する工程、及び
ｃ）血清中アルブミン濃度が＞３．２ｇ／ｄＬである患者を選択する工程
により選択された患者に、８週ごとにベドリズマブを投与するためのものである、炎症性腸疾患（ＩＢＤ）の寛解維持剤。
【請求項１３】
前記以下の工程が、抗ベドリズマブ抗体を測定することを更に含む、請求項６に記載の治療剤。
【請求項１４】
≦１２５である抗ベドリズマブ抗体力価は、ベドリズマブによる治療を継続する患者を更に特定するために使用される、請求項１３に記載の治療剤。
【請求項１５】
前記アルブミン濃度が、３．３〜５．０ｇ／ｄＬである、請求項１〜１４いずれかに記載の剤。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
顔料分散物を含むインクジェットインクであって、前記顔料分散物はカーボンブラック顔料と、水性ビヒクルとを含み、前記顔料は約１１０〜約５０の油吸収を有する、インクジェットインク。
【手続補正２】
【補正対象書類名】明細書
【補正対象項目名】００６２
【補正方法】変更
【補正の内容】
【００６２】
試験された基材は、ＣｏｌｏｒＬｏｋ（登録商標）処理のない、Ｈａｍｍｅｒｍｉｌｌ  Ｃｏｐｙ  Ｐｌｕｓ紙及びＸｅｒｏｘ  Ｂｕｓｉｎｅｓｓ  ４２００紙を含み、この両方は、普通のコーティングされていない多孔質紙である。使用された別の紙は、コーティングされていない多孔質紙であるが、水系インクジェットインクとのより良好な相互作用のためのＨＰ  ＣｏｌｏｒＬｏｋ（登録商標）前処理が施されたＨＰ  Ｍｕｌｔｉｐｕｒｐｏｓｅ  Ｐａｐｅｒであった。また、水系インクジェットインクを受容することができるように両側がコーティングされたＨＰ  Ｉｎｋｊｅｔ  Ｇｌｏｓｓｙ  Ｂｒｏｃｈｕｒｅ  Ｐａｐｅｒ  Ｑ１９８７Ａが使用された。
本発明は、以下の発明を包含するものである。
１．顔料分散物を含むインクジェットインクであって、前記顔料分散物はカーボンブラック顔料と、水性ビヒクルとを含み、前記顔料は約１１０〜約５０の油吸収を有する、インクジェットインク。
２．前記油吸収は約９５〜約５０である、１に記載のインク。
３．低い多孔性の媒体に印刷される、２に記載のインク。
４．前記顔料はポリマー分散剤によって分散される、３に記載のインク。
５．前記ポリマー分散剤はポリウレタンである、４に記載のインク。
６．ポリマーバインダーを更に含む、５に記載のインク。
７．前記ポリマー分散剤と前記ポリマーバインダーとの合計に対する前記顔料の比は少なくとも約７：１である、６に記載のインク。
８．前記顔料は自己分散顔料である、３に記載のインク。
９．ポリマーバインダーを更に含む、８に記載のインク。
１０．前記ポリマーバインダーに対する前記顔料の比は少なくとも約７：１である、９に記載のインク。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
以下の式：
（Ａ−Ｘ）ｍ−Ｙ−（（Ｚ）ｏ−（Ｘ）ｐ−（Ａ）ｑ）ｎ
（式中、
Ａは、それぞれの場合に独立して、エタクリン酸（ＥＣＡ）又はその誘導体を表し、
Ｘは、それぞれの場合に独立して、疎水性ポリマーセグメントを表し、
Ｙは、存在しないか、又は分岐点を表し、
Ｚは、それぞれの場合に独立して、親水性ポリマーセグメントを表し、かつ、
ｏ、ｐ及びｑは、独立して０又は１であり、
ｍは、１から２０の間の整数であり、かつ、
ｎは、０から２０の間の整数であり、
ＹとＺの間の結合及びＸとＺの間の結合はエステル結合である、
）の１つによって定義されるポリマー結合体。
【請求項２】
Ａが、ＥＣＡ−Ｌ−システインである、請求項１に記載のポリマー結合体。
【請求項３】
Ｚが、それぞれの場合に独立して、ポリ（アルキレングリコール）、多糖、ポリ（ビニルアルコール）、ポリピロリドン、ポリオキシエチレンブロックコポリマー及びそれらのコポリマーからなる群から選択される、請求項１又は２に記載のポリマー結合体。
【請求項４】
Ｚが、ポリエチレングリコールである、請求項３に記載のポリマー結合体。
【請求項５】
Ｘが、生分解性である、請求項１〜４のいずれか一項に記載のポリマー結合体。
【請求項６】
Ｘが、それぞれの場合に独立して、ポリエステル、ポリカプロラクトン、ポリ無水物及びそれらのコポリマーからなる群から選択される、請求項５に記載のポリマー結合体。
【請求項７】
Ｘが、ポリ無水物を含む、請求項６に記載のポリマー結合体。
【請求項８】
Ｘが、ポリセバシン酸無水物を含む、請求項７に記載のポリマー結合体。
【請求項９】
Ｘが、ポリ（１，６−ビス（ｐ−カルボキシフェノキシ）ヘキサン）又はポリ（１，６−ビス（ｐ−カルボキシフェノキシ）ヘキサン−ｃｏ−セバシン酸を含む、請求項９に記載のポリマー結合体。
【請求項１０】
Ｙが、以下：
【化１】
2018503736.tif 000001
のうちの１つである、請求項１〜９のいずれか一項に記載のポリマー結合体。
【請求項１１】
Ｙが、クエン酸である、請求項１０に記載のポリマー結合体。
【請求項１２】
以下の式：
Ａ−Ｘ−Ｙ−（Ｚ）ｎ
（式中、
ｎは、１から１０の間の整数又は２から１０の間の整数である）によって定義される、請求項１〜１１のいずれか一項に記載のポリマー結合体。
【請求項１３】
ｎが、２から６である、請求項１２に記載のポリマー結合体。
【請求項１４】
ｎが、３である、請求項１２に記載のポリマー結合体。
【請求項１５】
前記ポリマー結合体が、式Ｉ：
【化２】
2018503736.tif 000002
（式中、
Ｌは、エステル結合（−ＣＯＯ−）を表し、
ＰＥＧは、ポリエチレングリコール鎖を表す）によって定義される、請求項１〜１１のいずれか一項に記載のポリマー結合体。
【請求項１６】
前記ポリマー結合体が、式ＩＡ：
【化３】
2018503736.tif 000003
（式中、
Ｄは、Ｏを表し、かつ、
ＰＥＧは、ポリエチレングリコール鎖を表す）によって定義される、請求項１〜１１のいずれか一項に記載のポリマー結合体。
【請求項１７】
Ｘが、ポリ（乳酸）を含む、請求項６に記載のポリマー結合体。
【請求項１８】
Ｘが、ポリ（グリコール酸）を含む、請求項６に記載のポリマー結合体。
【請求項１９】
Ｘが、ポリ（乳酸−ｃｏ−グリコール酸）を含む、請求項６に記載のポリマー結合体。
【請求項２０】
Ｘが、約１５０Ｄａ〜１ＭＤａ、約１ｋＤａ〜約１００ｋＤａ、約１ｋＤａ〜約５０ｋＤａ、又は約１ｋＤａ〜約２５ｋＤａの分子量を有する、請求項１〜１９のいずれか一項に記載のポリマー結合体。
【請求項２１】
下記式
【化４】
2018503736.tif 000004
（式中、ｍは１〜２０の整数であり、ＰＥＧはポリエチレングリコール鎖を表す）によって定義される請求項２に記載のポリマー結合体。
【請求項２２】
下記式
【化５】
2018503736.tif 000005
（式中、ｍは１〜２０の整数であり、ＰＥＧはポリエチレングリコール鎖を表す）によって定義される請求項２に記載のポリマー結合体。
【請求項２３】
請求項１〜２２のいずれか一項に記載の結合体を含むマイクロ粒子及び／又はナノ粒子の集団。
【請求項２４】
薬学的に許容可能なキャリア、マトリクス、ヒドロゲル又はインプラント中に、請求項２３に記載の粒子を含む製剤。
【請求項２５】
１０ｎｍ〜１０００μｍ、１０ｎｍ〜１００μｍ、約１００ｎｍ〜約５０μｍ、約２００ｎｍ〜約５０μｍ、約１μｍ〜約１００μｍ、約１μｍ〜約５０μｍ、約１μｍ〜約３０μｍ、約１μｍ〜約１０μｍ、約１００ｎｍ〜約１μｍ、又は５００ｎｍ〜７００ｎｍの平均粒径を有する、請求項２３に記載の粒子。
【請求項２６】
任意にシステインを介して、疎水性ポリマーセグメントに結合したエタクリン酸又はその誘導体を含む、ポリマー−薬物結合体であって、
該疎水性ポリマーセグメントはエステル結合を介して１種以上の親水性ポリマーセグメントに結合し、該疎水性ポリマーセグメント及び該１種以上の親水性ポリマーセグメントは、必要に応じて、結合部を含む分岐点を介して結合し、該結合部はエステル結合を介して該１種以上の親水性ポリマーセグメントに連結している、
ポリマー−薬物結合体。
【請求項２７】
眼の疾患又は障害を治療するための請求項２４に記載の製剤。
【請求項２８】
該眼の疾患又は障害が緑内障または加齢黄斑変性症である、請求項２７に記載の製剤。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
展開形態及び折り畳まれた形態を形成するように構成された折り畳み式パネル構造を備え、前記折り畳み式パネル構造は、
前記折り畳み式パネル構造の第１側及び第２側を形成する外側に面するセクションであって、前記第１側及び第２側は、隣接する外側に面するセクションに旋回可能に結合する表面ペアヒンジポイントを有する、外側に面するセクションと、
前記第１側と前記第２側との間でジグザグ状に配置された内側コアセクションであって、頂点ヒンジポイントが隣接する内側コアセクションに旋回可能に結合する、内側コアセクションと、
を有し、
前記折り畳み式パネル構造が展開形態にあるとき、前記内側コアセクションと前記外側に面するセクションとは、一連の隣接する三角プリズムを形成し、前記折り畳み式パネル構造が折り畳まれた形態に移行するとき、前記内側コアセクションと外側に面するセクションとは、一連の隣接する四辺形プリズムを形成する、
装置。
【請求項２】
前記展開形態にある前記折り畳み式パネル構造の長さに沿って延在する支持構造を更に備える、請求項１に記載の装置。
【請求項３】
前記支持構造は、前記折り畳み式パネル構造の第１端部をキャップするように構成された少なくとも１つのオープンチャネルと、前記支持構造が少なくとも部分的に折り畳むことを可能にする伸縮セグメントと、複数の接合可能なセグメントと、を有する、請求項２に記載の装置。
【請求項４】
前記支持構造は、前記内側コアセクションに沿って設けられた開口部を通って延在している、請求項２に記載の装置。
【請求項５】
前記支持構造は、湾曲するように構成されている、請求項２〜４のいずれか１項に記載の装置。
【請求項６】
前記展開形態において、前記頂点ヒンジポイントは、前記一連の隣接する三角プリズムの各三角プリズムの頂点に位置している、請求項１〜５のいずれか１項に記載の装置。
【請求項７】
表面ペアヒンジポイントで接合された２つの外側に面するセクションは、２つの内側コアセクションを接合する対向の頂点ヒンジポイントと整列している、請求項１〜６のいずれか１項に記載の装置。
【請求項８】
前記折り畳み式パネル構造が前記折り畳まれた形態に移行するとき、表面ペアヒンジポイントの１つは、一連の隣接する四辺形プリズムの各四辺形プリズムの頂部又は底部に位置している、請求項１〜７のいずれか１項に記載の装置。
【請求項９】
展開形態及び折り畳まれた形態を形成するように構成された折り畳み式パネル構造を備え、前記折り畳み可能パネル構造は、
前記折り畳み式パネル構造の第１側及び第２側を形成する外側に面するセクションであって、前記第１側及び第２側は、隣接する外側に面するセクションに旋回可能に結合する表面ペアヒンジポイントを有する、外側に面するセクションと、
前記第１側と前記第２側との間でジグザグ状に配置された内側コアセクションであって、内側コアヒンジポイントが隣接する内側コアセクションに旋回可能に結合する、内側コアセクションと、
内側コアセクションと内側コアヒンジポイントとの各結合の間に延在し、内側コアヒンジポイントを内側コアセクションの長手方向の長さからオフセットする延長部と、
隣接する外側に面するセクション及び内側コアセクションに旋回可能に結合する補助ヒンジポイントと、
を有し、
前記折り畳み式パネル構造が前記展開形態にあるとき、前記内側コアセクションと、前記延長部と、前記外側に面するセクションとは、一連の隣接する四辺形プリズムを形成し、前記折り畳み式パネル構造が前記折り畳まれた形態に移行するとき、前記内側コアセクションと、前記延長部と、前記外側に面するセクションとは、一連の隣接する六辺形プリズムを形成する、
装置。
【請求項１０】
前記展開形態にある前記折り畳み式パネル構造の長さに沿って延在する支持構造を更に備える、請求項９に記載の装置。
【請求項１１】
前記支持構造は、前記折り畳み式パネル構造の第１端部をキャップするように構成された少なくとも１つのオープンチャネルと、前記支持構造が少なくとも部分的に折り畳むことを可能にする伸縮セグメントと、複数の接合可能なセグメントと、を有する、請求項１０に記載の装置。
【請求項１２】
前記支持構造は、前記内側コアセクションに沿って設けられた開口部を通って延在している、請求項１０に記載の装置。
【請求項１３】
前記支持構造は、湾曲するように構成されている、請求項１０〜１２のいずれか１項に記載の装置。
【請求項１４】
前記展開形態において、２つの外側に面するセクションは、整列しており、内側コアヒンジポイントに対向して配置された表面ペアヒンジポイントで接合している、請求項９〜１３のいずれか１項に記載の装置。
【請求項１５】
前記折り畳み式パネル構造が前記折り畳まれた形態に移行しているとき、表面ペアヒンジポイントと内側コアヒンジポイントとは、一連の隣接する四辺形プリズムの各六辺形プリズムの頂部及び底部に交互に位置している、請求項９〜１４のいずれか１項に記載の装置。
【請求項１６】
折り畳み式パネル構造の折り畳み可能な部分を、前記折り畳み式パネル構造の複数の内側コアセクションの面に垂直な軸に沿って展開するステップと、
内側コアセクションの２つを接合する頂点ヒンジポイントに対向して配置された表面ペアヒンジポイントで接合された折り畳み式パネル構造の２つの外側に面するセクションが平面整列になったとき、前記折り畳み可能な部分の展開を完了するステップであって、前記内側コアセクションは、外側に面するセクションの第１側と外側に面するセクションの第２側との間でジグザグ状に配置され、頂点ヒンジポイントは、隣接する内側コアセクションに旋回可能に結合する、前記折り畳み可能な部分の展開を完了するステップと、
を含む、方法。
【請求項１７】
前記展開された折り畳み可能な部分に長手方向の支持構造を接合させるステップを更に含む、請求項１６に記載の方法。
【請求項１８】
長手方向の支持構造を外すステップを更に含む、請求項１７に記載の方法。
【請求項１９】
前記折り畳み可能な部分を再び折り畳むステップを更に含む、請求項１６〜１８のいずれか１項に記載の方法。
【請求項２０】
折り畳み式パネル構造の折り畳み可能な部分を、前記折り畳み式パネル構造の複数の内側コアセクションの面に垂直な軸に沿って展開するステップと、
内側コアセクションの２つを接合する内側コアヒンジポイントに対向して配置された表面ペアヒンジポイントで接合された折り畳み式パネル構造の２つの外側に面するセクションが平面整列になったとき、前記折り畳み可能な部分の展開を完了するステップであって、前記内側コアセクションは、外側に面するセクションの第１側と外側に面するセクションの第２側との間でジグザグ状に配置され、内側コアヒンジポイントは、隣接する内側コアセクションに旋回可能に結合し、延長部によって隣接する内側コアセクションの長手方向の長さからオフセットされ、補助ヒンジポイントは、外側に面するセクション及び内側コアセクションに旋回可能に結合する、前記折り畳み可能な部分の展開を完了するステップと、
を含む、方法。
【請求項２１】
前記支持構造は、湾曲するように構成されている、請求項２に記載の装置。